(57)【特許請求の範囲】
【請求項１】
ＬＥＤ光源と、
前記ＬＥＤ光源のストロボ発光のタイミングを制御するＬＥＤ発光タイミング制御手段と、
基準信号を生成可能な基準信号発生手段と、
前記基準信号の周波数の音を出力する基準音出力手段とを備え、
前記ＬＥＤ発光タイミング制御手段における前記タイミングの制御が、前記基準信号に基づいて行われる
ことを特徴とする電子内視鏡用光源装置。
【請求項２】
前記基準信号発生手段において生成される基準信号の周波数を設定・調節するための周波数設定調節手段を備えたことを特徴とする請求項１に記載の電子内視鏡用光源装置。
【請求項３】
前記ＬＥＤ発光タイミング制御手段が、前記基準信号の周波数のｎ分の１の周波数（ｎは正の整数）で前記ＬＥＤ光源のストロボ発光を制御可能であることを特徴とする請求項１に記載の電子内視鏡用光源装置。
【請求項４】
前記ＬＥＤ光源のストロボ発光のタイミングが、映像信号のフィールドが変わる毎に所定の遅延時間づつ遅れることを特徴とする請求項１に記載の電子内視鏡用光源装置。
【請求項５】
高速で振動する被写体を前記ＬＥＤ光源のストロボ発光により撮影したときの前記被写体の映像上の振動周波数をＦｂ、前記基準信号の周波数をＦａ、フィールド周波数をＦｖ、前記遅延時間をΔｔとするとき、前記遅延時間Δｔが、Δｔ＝Ｆｂ／（Ｆａ×Ｆｖ）となるように設定されることを特徴とする請求項４に記載の電子内視鏡用光源装置。
【発明の詳細な説明】
【０００１】
【発明の属する技術分野】
本発明は、電子内視鏡の照明用光源装置に関し、特に声帯など高い周波数で振動する被写体を観察する喉頭内視鏡（ラリンゴスコープ）などに用いられる電子内視鏡の照明用光源装置に関する。
【０００２】
【従来の技術】
声帯や心臓の鼓動の影響を受ける食道などのように動きの激しい器官を電子内視鏡を用いて観察する場合、検出される被写体像にぶれが生じ明瞭な画像が得られないという問題があった。これらの問題を解決するために、照明用の光源ランプを高速でスイッチングし、ストロボ発光させることにより被写体のストロボ観察を行う方法や、機械的シャッターを用いて照明光を断続的に遮光することにより被写体の運動に同期したストロボ光を得て、ストロボ観察を行う方法などが従来知られている。
【０００３】
【発明が解決しようとする課題】
しかし、キセノンランプやハロゲンランプ等のように大電流を要する光源を用いた従来の光源では、高速にストロボ発光をさせると光源の寿命が著しく短くなるとともに、大きな電磁ノイズや音響ノイズを発生する。したがって、これらのノイズを遮蔽するための機構が必要となり、スペース的、コスト的に無駄が多い。また、機械的シャッターにより照明光を断続的に遮光する従来の方法では、装置が大型化するという問題の他、機械的な慣性により被写体の運動に瞬時に同期させるような制御が難しいという問題がある。
【０００４】
本発明は、被写体のストロボ観察を行う電子内視鏡装置において、小型かつ電磁的・音響的ノイズの発生が少ない電子内視鏡用光源装置を得ることを目的としている。
【０００５】
【課題を解決するための手段】
本発明の電子内視鏡用光源装置は、ＬＥＤ光源と、ＬＥＤ光源のストロボ発光のタイミングを制御するＬＥＤ発光タイミング制御手段と、各動作のタイミング制御の基準となる基準信号を生成可能な基準信号発生手段とを備え、ＬＥＤ発光タイミング制御手段におけるタイミングの制御がこの基準信号に基づいて行われることを特徴としている。
【０００６】
本発明の電子内視鏡用光源装置は、例えば、音声を電気的な音声信号として検出する音声検出手段と、音声信号の基本周波数を検出する音声基本周波数検出手段とを備え、基準信号の周波数はこの音声基本周波数に基づいて生成される。これにより、ＬＥＤ光源のストロボ発光を患者の発声する声の高さに自動的に合わせることが可能となる。
【０００７】
また本発明の電子内視鏡用光源装置は例えば、基準信号発生手段において生成される基準信号の周波数を設定・調節するための周波数設定調節手段を備え、電子内視鏡のオペレータはモニタなどに表示された映像を観察しながら、ストロボ発光のタイミングの調節を行うことができる。
【０００８】
例えば本発明の電子内視鏡用光源装置は、基準信号の周波数の音を出力する基準音出力手段を備える。これにより、患者はこの周波数の音の高さに合わせて発声することによりストロボ発光のタイミングに声帯の振動を合わせることができる。
【０００９】
ＬＥＤ発光タイミング制御手段は、基準信号の周波数のｎ分の１の周波数（ｎは正の整数）でＬＥＤ光源のストロボ発光を制御可能であることが好ましい。これにより、声帯などの高速で振動する被写体の同一位相のみの映像を撮影することができる。
【００１０】
また、ＬＥＤ光源のストロボ発光のタイミングは、映像信号のフィールドが変わる毎に所定の遅延時間づつ遅れることが好ましく、これにより高速で振動する被写体のスローモーション映像を撮影することができる。このとき、高速で振動する被写体をＬＥＤ光源のストロボ発光により撮影したときにおける被写体の見かけ上の振動周波数をＦｂ、基準信号の周波数をＦａ、フィールド周波数をＦｖ、遅延時間をΔｔとすると、遅延時間Δｔは、Δｔ＝Ｆｂ／（Ｆａ×Ｆｖ）となるように設定されることが好ましい。さらに、ＬＥＤ発光時間をＴｗとすると、Ｔｗ≦Δｔであることが好ましい。これにより電子内視鏡のＣＣＤで撮像される画像のブレを防止できる。
【００１１】
【発明の実施の形態】
以下、本発明の実施の形態を図面を参照して説明する。
図１は、本発明の第１の実施形態である電子内視鏡装置（電子内視鏡及び映像信号処理装置）の回路構成を概略示すブロック図である。
【００１２】
電子内視鏡１０は、映像信号処理装置（プロセッサ）２０に着脱自在に接続されている。電子内視鏡１０の挿入部先端には、複数のＬＥＤから構成される照明用のフルカラーＬＥＤ光源１１が設けられており、フルカラーＬＥＤ光源１１からの光は拡散レンズ１２を介して観察対象物に照射される。ＬＥＤ光源１１により照明された観察対象物の映像は撮像レンズ１４を介してＣＣＤ１３において検出される。なお、第１の実施形態においてＣＣＤ１３はカラー単板式のＣＣＤである。
【００１３】
ＣＣＤ１３は、プロセッサ２０のＣＣＤドライバ２１により駆動制御され、ＣＣＤドライバ２１は、タイミングパルス発生回路２２において生成されるタイミングパルスに基づいて制御される。また、タイミングパルス発生回路２２は、システムコントローラ２３からの信号に基づいて制御される。ＣＣＤ１３において撮影された映像は、画像信号として映像信号処理回路２４に入力される。映像信号処理回路２４では、例えば、クランプ処理、エンハンス処理、ガンマ補正や各種フィルタ処理等が画像信号に対して施される。その後、画像信号はエンコーダ２５及びＲＧＢ出力回路２６へ出力される。エンコーダ２５に入力された画像信号は、コンポジット信号などのビデオ信号に変換され、ＴＶモニタやＶＣＲ等の周辺機器へ出力される。一方、ＲＧＢ出力回路２６へ入力された画像信号は、ＲＧＢコンポーネント信号として周辺機器へ出力される。映像信号処理回路２４における信号処理のタイミング制御は、タイミングパルス発生回路２２からのタイミングパルスに基づいて行われる。
【００１４】
ＬＥＤ光源１１の発光は、ＬＥＤドライバ２７により制御され、ＬＥＤドライバ２７の駆動タイミングは、ＬＥＤ発光タイミング制御回路２８により制御される。ＬＥＤ発光タイミング制御回路２８は、タイミングパルス発生回路２２から出力されるタイミングパルス及び音声周波数検出回路２９から出力されるパルス信号に基づいて制御される。音声周波数検出回路２９から出力されるパルス信号は、マイク３１で検出される音声信号の基本周波数を抽出して形成されたパルス信号である。なお、音声信号はマイク３１で検出された後、音声処理回路３０を介して音声周波数検出回路２９に入力される。
【００１５】
また、ＬＥＤ発光タイミング制御回路２８はシステムコントローラ２３に接続されている。システムコントローラ２３は、ＬＥＤ発光タイミング制御回路２８に現在選択されている観察モードを通知する。ＬＥＤ発光タイミング制御回路２８は、選択されている観察モードに対応してＬＥＤドライバ２７を駆動する。観察モードは、例えば、ＬＥＤ光源１１を常時点灯して観察部位（声帯）を撮影する通常観察モード、ＬＥＤ光源１１を周期的に点滅することにより高速振動する観察部位（声帯）の静止映像を得る第１のストロボ観察モードと、ＬＥＤ光源１１を所定のタイミングで点滅することにより観察部位のスローモーション映像を撮影する第２のストロボ観察モード等である。なお、システムコントローラ２３には、パネルスイッチ群３２が接続されており、観察モードの選択はこのパネルスイッチ群３２の所定のスイッチを操作することにより行われる。
【００１６】
図２は、第１のストロボ観察モードにおいて声帯の静止映像を撮影するときのタイミングチャートであり、声帯の運動、ＬＥＤ光源１１の発光タイミング、ＣＣＤ１３での露光タイミング等が示されている。図２を参照して第１の実施形態における第１のストロボ観察モードで実行されるストロボ発光動作について説明する。
【００１７】
人の声は、日常会話において最も楽に発声できる発声振動数が成人男子で約１００Ｈｚ〜１５０Ｈｚ，女子で２００〜３００Ｈｚ程度といわれている。波形Ｓ１は、患者が２００Ｈｚの高さの音で発声するときの声帯の運動（振動）を例にとって模式的に表している。患者の声は音声信号としてマイク３１に入力され、音声周波数検出回路２９において波形整形され、音声基本周波数（２００Ｈｚ）と同じ周波数の矩形パルス（基準信号）Ｓ２が生成され、ＬＥＤ発光タイミング制御回路２８へ出力される。
【００１８】
ＬＥＤ発光タイミング制御回路２８は、パルスＳ２及びタイミングパルス発生回路２２からのタイミングパルスに基づいてＬＥＤ光源１１の発光をパルスＳ３で表されるタイミングに調整する。すなわち、ＬＥＤ光源１１は、パルスＳ２の立ち上がりから遅延時間ｔ0遅れて、周期Ｔ（Ｓ１が２００ＨｚのときにはＴ＝１／２００ｓ＝５ｍｓ）、パルス幅（発光時間）Ｔｗで周期的に発光される。点Ｐ0は声帯の振動を表す波形Ｓ１の同一の位相を表しており、パルスＳ３の立ち上がりに対応する点である。
【００１９】
ＣＣＤ１３では、ＬＥＤ光源１１からの照明光が被写体に照射されている間のみ露光されるので、ＣＣＤ１３の露光タイミングはパルスＳ４で示されるように、ＬＥＤ光源１１の発光タイミング（パルスＳ３）に一致し、露光時間であるパルス幅もパルスＳ３のパルス幅Ｔｗに等しい。なお、１フィールド期間にＬＥＤ光源が発光する回数は、各フィールド期間で一致するように最小の回数に制御される。図２の例では垂直同期信号からカウントした回数が最初の第１フィールドでは４回、第２フィールドでは３回であるため、第３フィールドでは仮に４回ストロボ発光のタイミングがあったとしても、垂直同期信号からカウントして３回のＬＥＤ発光となるように制御され、以下同様に各フィールド期間で発光回数が揃うように制御される。これによりフィールドごとにＣＣＤに蓄積される電荷量が変化して画面が明るかったり暗かったりしてちらつくといった不都合が起きることを防いでいる。最初の１〜２フィールドの輝度変化はほとんど認知されにくいため問題とはならない。
【００２０】
以上により、声帯の振動の特定の位相（Ｐ0）に対応する映像のみがＣＣＤ１３において撮影される。なお、点Ｐ0の位置はＬＥＤ光源１１の発光タイミングにおける遅延時間ｔ0に対応するので、遅延時間ｔ0を調整することによりストロボ撮影される声帯振動の位相を調整することができる。
【００２１】
また、患者の声は観察中常時マイク３１から集音されているので、声帯の振動である波形Ｓ１の周波数が変化すると、それに伴い音声周波数検出回路２９において生成されるパルス信号の周波数も変化し、ＬＥＤ光源１１の発光タイミングもこれに合わせて調整される。
【００２２】
次に、図３を参照して第１の実施形態における第２のストロボ観察モードで実行されるストロボ発光動作について説明する。図３は、第２のストロボ観察モードにおいて声帯のスローモーション映像を撮影するときのタイミングチャートであり、声帯の運動、ＬＥＤ光源１１の発光タイミング、ＣＣＤ１３での露光タイミング等が示されている。
【００２３】
第２のストロボ観察モードにおいて、撮影が開始された直後の第１フィールドでは、第１のストロボ観察モードと同様に、パルスＳ２の立ち上がりからｔ0時間遅れたタイミング（パルスＳ５）でＬＥＤ光源１１が発光され、位相Ｐ0での声帯の運動がパルスＳ５’（発光パルスＳ５に対応）の露光タイミングで撮影される。一方、第２フィールドでは、ＬＥＤ光源１１はパルスＳ２の立ち上がりから更にΔｔ時間遅れたパルスＳ６で示されるタイミングで発光される。すなわち、ＬＥＤ光源１１はパルスＳ２の立ち上がりから遅延時間（ｔ0＋Δｔ）遅れて発光され、点Ｐ1に対応する位相での声帯の映像がパルスＳ６’（発光パルスＳ６に対応）の露光タイミングで撮影される。なお、ＬＥＤ光源１１は、フィールド毎に一度しか発光されない。
【００２４】
各フィールドでの遅延時間はフィールド毎にΔｔ時間づつ加算され、ＬＥＤ光源１１の発光のタイミングはフィールド毎にΔｔ時間づつ遅延される。すなわち、上述した第２フィールドの次の第３フィールドにおいて遅延時間は（ｔ0＋２・Δｔ）となり、続く第４フィールドでは（ｔ0＋３・Δｔ）となる。
【００２５】
声帯で発声される音声の周波数をＦａ、映像信号のフィールド周波数をＦｖ、高速振動する被写体（声帯）をスローモーションで観察するときの被写体の見かけ上の振動周波数をＦｂとすると、Δｔは、
Δｔ＝Ｆｂ／（Ｆａ×Ｆｖ）
で表される。なお、このとき露光時間（発光時間）ＴｗはＴｗ≦Δｔとなるように設定される。また、図３における本実施形態の例では、Ｆａ＝２００Ｈｚ、Ｆｖ＝６０Ｈｚの場合を示している。
【００２６】
以上のように、第１の実施形態によれば、電子内視鏡の光源にＬＥＤを用いることにより、高い周波数で光源を点滅させても電磁的・音響的ノイズの発生が少ないので、これらのノイズを遮蔽するための機構や機械的なシャッター機構を設けなくとも声帯などの高速な振動を行う被写体のストロボ観察を行うことができる。これによりストロボ観察を行う電子内視鏡の光源装置を小型化することができる。
【００２７】
次に図４を参照して本発明の第２の実施形態について説明する。第２の実施形態は、第２のストロボ観察モードにおいて第１の実施形態とはＬＥＤ光源１１の発光動作が異なるが、その他の点では第１の実施形態と何ら変わらない。
【００２８】
第２の実施形態における第２のストロボ観察モードでは、ＬＥＤ光源１１は声帯の振動Ｓ１（例として２００Ｈｚ）に同期して１フィールド期間に渡り繰り返しストロボ発光を行う。すなわち、撮影開始直後の第１フィールドでは、第１の実施形態における第１のストロボ観察モードのときと同様に、点Ｐ0で示される声帯の振動の同一位相に対応してＣＣＤ１３における露光（パルスＳ３’）が行われるように、パルスＳ３に示されるタイミングで、ＬＥＤ光源１１が発光される。図４に示された例では、ＬＥＤ光源１１が１フィールド期間の間に４回断続的に発光される。これに伴い、ＣＣＤ１３では、点Ｐ0で示される位相の声帯の運動が１フィールド期間（第１フィールド）の間に４回撮影される。これにより高速で振動する声帯の特定の位相での画像が１フィールド分の画像として得られる。
【００２９】
また、続く第２フィールドでは、パルスＳ２の立ち上がりから遅延時間（ｔ0＋Δｔ）遅れてＬＥＤ光源１１がパルスＳ７のタイミングで発光する。すなわち、ＬＥＤ光源１１はパルスＳ２と同じ周期（５０ｍｓ）でパルス幅Ｔｗのパルス発光を第２フィールドの間断続的に繰り返す。図４に示された例では、ＬＥＤ光源１１は第２フィールドにおいて３回発光する。したがって、第２フィールドでは、点Ｐ1に対応する位相の声帯運動が１フィールド期間（第２フィールド）の間にパルスＳ７’（パルスＳ７に対応）の露光タイミングで３回撮影される。この第２フィールドで撮影される声帯の映像は、直前の第１フィールドで撮影された声帯の運動の位相からΔｔ時間（２π・Ｆａ・Δｔ  ｒａｄ）遅れた位相での映像であり、３回の露光で１フィールド分の画像として得られる。その後各フィールド毎にΔｔ時間（２π・Ｆａ・Δｔ  ｒａｄ）遅れた位相での画像が撮影され、声帯のスローモーション映像が得られる。
【００３０】
以上のように、第２の実施形態においても第１の実施形態と同様の効果が得られる。また、第２の実施形態では、スローモーション映像を撮影する際、各フィールド毎に複数回振動する被写体の同一位相における映像を検出しているので、より大きい信号出力が得られるためＳ／Ｎ比の高いスローモーション映像が得られる。
【００３１】
次に図５、図６を参照して、第３の実施形態について説明する。第３の実施形態では、ＣＣＤ１３として面順次式のＣＣＤを用いている。図５、図６は、それぞれ第１及び第２のストロボ観察モードにおけるタイミングチャートである。
【００３２】
モノクロＣＣＤは小型化を図るために電荷蓄積部が電荷転送部を兼ねているため、モノクロＣＣＤを用いた面順次式の撮像方式では、ＣＣＤにおいて信号電荷の電荷転送を行う際、ＣＣＤの撮像面を遮光する必要がある。したがって、第３の実施形態の第１のストロボ観察モードでは、ＬＥＤ光源１１のパルス発光が終了した直後に、遮光期間（転送期間）Ｔｓが設けられており、その間にＣＣＤ１３で検出された信号電荷は電荷転送動作によりＣＣＤ１３の外部へ出力される。第３の実施形態における第１のストロボ観察モードでは、ＬＥＤ光源１１のＲＧＢに対応する各ＬＥＤが、それぞれパルスＳｒ、Ｓｇ、Ｓｂで示されるタイミングで順次循環的に繰り返し発光される。なお、パルスＳｒ、Ｓｇ、Ｓｂで示されるＲＧＢ各々の光源（ＬＥＤ光源）の発光は、パルスＳ２の立ち上がりから遅延時間ｔ0遅れて行われる。すなわち、点Ｐ0で示される位相での声帯の映像が断続的に撮影される。
【００３３】
面順次方式のＣＣＤを用いた場合、ＬＥＤ光源１１が照射できない遮光期間Ｔｓが設けられているので、遮光期間Ｔｓの間の点Ｐ0と同一位相の声帯の映像は撮影できず、ＬＥＤ光源１１の発光は遮光期間が終了して次に来るパルスＳ２立ち上がりから遅延時間ｔ0遅れた点Ｐ0で行われる。
【００３４】
なお、遮光期間Ｒ１、Ｇ１、Ｇ２では、それぞれＲＧＢの画像信号に対応する信号電荷が転送され映像信号処理回路２４（図１参照）へ出力される。映像信号処理回路２４へ入力されたＲＧＢの画像信号は、映像信号処理回路２４内に設けられた同時化メモリ（図示せず）に各色一時的に記憶される。同時化メモリにおいて１組のＲＧＢの画像信号が揃うと１つのカラー画像として映像信号処理回路２４から出力される。また、遮光期間Ｒ２では、次のＲの画像信号が転送、出力される。
【００３５】
第２のストロボ観察モードでは、図６のように、パルスＳ８、Ｓ９で示されるタイミングでＬＥＤ光源１１は照明光を照射する。パルスＳ８は第１フィールド期間内の点Ｐ0で表される声帯運動の位相に対応し、それぞれパルスＳ２の立ち上がりから遅延時間ｔ0遅れた位置にある。一方、パルスＳ９は第２フィールド期間内の点Ｐ1で表される声帯運動の位相に対応し、それぞれパルスＳ２の立ち上がりから遅延時間（ｔ0＋Δｔ）遅れた位置にある。また、フィールド期間内でＬＥＤ光源が発光される回数は、ＬＥＤ発光タイミング制御回路２８において、フィールド期間から遮光期間を除いた残りの期間内でＬＥＤ発光を行う回数をカウントし、次のフィールド期間も同様に発光回数をカウントし、前のフィールドで発光した回数を超えないようにＬＥＤ発光タイミングパルスは制御される。
【００３６】
パルスＳ８のタイミングで照射されたＬＥＤ光源１１の照明光で撮影された画像信号は、遮光期間（転送期間）Ｓ１０の間に電荷転送されＣＣＤ１３から映像信号処理回路２４へ出力される。同様に、パルスＳ９のタイミングで照射されたＬＥＤ光源１１の照明光で撮影された画像信号は、遮光期間（転送期間）Ｓ１１の間に電荷転送されＣＣＤ１３から映像信号処理回路２４へ出力される。
【００３７】
なお、本実施形態の第２のストロボ観察モードでは、パルスＳ８、Ｓ９でのＬＥＤ光源１１の発光は、例えばＲＧＢのＬＥＤを同時に発光し、白色照明光を被写体に照射する。また、各遮光期間に転送される画像信号は、全て１つの色に対応する同時化メモリのみに一時記憶され、モノクロの映像信号として映像信号処理回路２４から出力される。
【００３８】
以上のように、第３の実施形態によれば、面順次式のＣＣＤを用いた電子内視鏡においても、第１の実施形態と同様の効果が得られる。
【００３９】
次に図７を参照して本発明の第４の実施形態について説明する。
図７は、第４の実施形態における電子内鏡装置の回路構成を概略示すブロック図である。
【００４０】
図１のブロック図により示された第１の実施形態では、マイク３１で検出される音声信号に基づいてＬＥＤ光源１１の点滅制御を行っていた。すなわち、音声周波数検出回路２９では、患者の発声する声の音声信号から音声基本周波数を抽出するとともに、この音声基本周波数のパルス信号（Ｓ２）を生成し、ＬＥＤ発光タイミング制御回路２８へ出力し、ＬＥＤ発光タイミング制御回路２８では、このパルス信号（Ｓ２）に基づいてＬＥＤドライバ２７を駆動しＬＥＤ光源１１の発光を制御していた。
【００４１】
一方、第４の実施形態では、参照音発生回路４１において、第１の実施形態におけるパルス信号Ｓ２に対応するパルス信号（基準信号）を生成する。パルス発生回路４１には周波数調整摘４０が接続されており、パルス発生回路４１において生成されるパルス信号の周波数は周波数調整摘４０を操作することにより調整される。パルス発生回路４１において生成されたパルス信号は、ＬＥＤ発光タイミング制御回路２８及び音声出力回路４２へ出力される。
【００４２】
ＬＥＤ発光タイミング制御回路２８では、パルス発生回路４１から出力されたパルス信号とタイミングパルス発生回路２２から出力されるパルス信号に基づいて第１乃至第３の実施形態と同様の処理が行われる。すなわち、ＣＣＤ１３がカラー単板式のＣＣＤのときには図２、図３または図４に示されるタイミングでＬＥＤ光源１１の発光が制御され、ＣＣＤ１３が面順次式のＣＣＤのときには図５、図６に示されるタイミングでＬＥＤ光源１１の発光が制御される。
【００４３】
音声出力回路４２では、パルス発生回路４１で生成されるパルス信号と同じ周波数の正弦波信号を生成し、スピーカ４３から参照音として出力する。スピーカ４３から出力される参照音は、患者が発声する際に参照される音であり、患者は参照音の高さに合わせて発声する。喉頭内視鏡のオペレータは、モニタ（図示せず）に表示された映像を観察しながら、周波数調整摘４０を用いて微調整を行う。なお、上述以外の点において、第４の実施形態は第１乃至第３の実施形態と同様である。
【００４４】
以上のように第４の実施形態においても、第１乃至第３の実施形態と同様の効果が得られる。
【００４５】
なお、第１乃至第４の実施形態において、ＬＥＤ光源は電子内視鏡の挿入部の先端に設けられていたが、ＬＥＤ光源をプロセッサ内に設けてもよく、このときＬＥＤ光源の光は、電子内視鏡に設けられたライトケーブルを介して電子内視鏡の先端部から照射される。
【００４６】
本実施形態では、ＬＥＤ光源は、複数のフルカラーＬＥＤによって構成されていたが、モノクロ映像のみを観察するのであれば、フルカラーＬＥＤである必要はない。また光量が十分であるならばＬＥＤの数は単数であってもよい。
【００４７】
【発明の効果】
以上のように、本発明によれば、被写体のストロボ観察を行う電子内視鏡装置において、小型かつ電磁的・音響的ノイズの発生が少ない電子内視鏡用光源装置を得ることができる。
【図面の簡単な説明】
【図１】本発明の第１の実施形態である電子内視鏡装置（電子内視鏡及びプロセッサ）の回路構成を示すブロック図である。
【図２】第１の実施形態の第１のストロボ観察モードにおける光源の発光動作を説明するためのタイミングチャートである。
【図３】第１の実施形態の第２のストロボ観察モードにおける光源の発光動作を説明するためのタイミングチャートである。
【図４】第２の実施形態の第２のストロボ観察モードにおける光源の発光動作を説明するためのタイミングチャートである。
【図５】第３の実施形態の第１のストロボ観察モードにおける光源の発光動作を説明するためのタイミングチャートである。
【図６】第３の実施形態の第２のストロボ観察モードにおける光源の発光動作を説明するためのタイミングチャートである。
【図７】本発明の第４の実施形態である電子内視鏡装置（電子内視鏡及びプロセッサ）の回路構成を示すブロック図である。
【符号の説明】
１１  ＬＥＤ光源
２２  タイミングパルス発生回路
２７  ＬＥＤドライバ
２８  ＬＥＤ発光タイミング制御回路
２９  音声周波数検出回路
３０  音声処理回路
３１  マイク
４０  周波数調整摘
４１  パルス発生回路
４２  音声出力回路
４３  スピーカ
【図１】
0004589521.tif 000002
【図２】
0004589521.tif 000003
【図３】
0004589521.tif 000004
【図４】
0004589521.tif 000005
【図５】
0004589521.tif 000006
【図６】
0004589521.tif 000007
【図７】
0004589521.tif 000008